(57)【特許請求の範囲】
【請求項１】
ハンドルと、
このハンドルに旋回中心において相対回転不可能に接続される第１端部を持つ撓み部材にして、前記ハンドルの上側端部から突出する第２端部と、この撓み部材の第１及び第２端部に沿って延びる長手方向軸とを持つ撓み部材と、
主軸を持ち且つ少なくとも一つのかみそり刃を備えたかみそりカートリッジにして、このかみそりカートリッジの主軸に略平行な軸の回りで回転可能に前記撓み部材の第２端部に軸支されたかみそりカートリッジと、
を備え、
を備え、
前記撓み部材の第２端部は、前記撓み部材の可撓性により前記第１端部に対し相対的に、前記旋回中心の回りをアーチ型経路に沿って運動可能であり、且つ前記撓み部材の長手方向軸と略平行な軸の回りでねじれ運動可能である
ことを特徴とするひげ剃り組立品。
【請求項２】
前記撓み部材の第２端部は、主軸と少なくとも一つのかみそり刃とを備えたかみそりカートリッジを受けるようになっていることを特徴とする請求項１に記載のひげ剃り組立品。
【請求項３】
前記少なくとも一つのかみそり刃の各々は、前記かみそりカートリッジの主軸と略平行な方向に延びる切断エッジを備えていることを特徴とする請求項２に記載のひげ剃り組立品。
【請求項４】
前記撓み部材の第２端部と前記かみそりカートリッジは互いに接続されていることを特徴とする請求項２に記載のひげ剃り組立品。
【請求項５】
前記撓み部材の第２端部と前記かみそりカートリッジは、互いに回転可能に接続されていることを特徴とする請求項２に記載のひげ剃り組立品。
【請求項６】
前記撓み部材の第２端部は、前記撓み部材の長手方向軸を横切る方向に延びる略円柱形ロッドを備えていることを特徴とする請求項５に記載のひげ剃り組立品。
【請求項７】
前記かみそりカートリッジは、このかみそりカートリッジを前記撓み部材に回転可能に接続するための前記略円筒形ロッドを取り付け可能な少なくとも一つの支持面を備えた下側部を持つことを特徴とする請求項６に記載のひげ剃り組立品。
【請求項８】
前記かみそりカートリッジは、このかみそりカートリッジの主軸と略平行な方向に延びる軸の回りで回転可能であることを特徴とする請求項５に記載のひげ剃り組立品。
【請求項９】
前記撓み部材は、この撓み部材の第２端部から第１端部に向かう方向に延びる支持板を備えたことを特徴とする請求項１に記載のひげ剃り組立品。
【請求項１０】
前記撓み部材は、側方に延びた支持部にして前記撓み部材の長手方向軸を横切る軸を持つ支持部を備え、この側方に延びた支持部は、前記旋回中心と前記撓み部材の第１端部との間に配設されることを特徴とする請求項１に記載のひげ剃り組立品。
【請求項１１】
前記ハンドルは、表側ハンドル構成部と裏側ハンドル構成部とを備え、前記表側及び裏側ハンドル構成部は、前記撓み部材の少なくとも一部を固定するように互いに接続されていることを特徴とする請求項１０に記載のひげ剃り組立品。
【請求項１２】
前記ハンドルは、一部材から成るハンドルであることを特徴とする請求項１０に記載のひげ剃り組立品。
【請求項１３】
前記撓み部材は、前記ハンドルの一部として形成されていることを特徴とする請求項１０に記載のひげ剃り組立品。
【請求項１４】
前記表側及び裏側ハンドル構成部は、前記撓み部材の少なくとも第１端部を取り囲んでいることを特徴とする請求項１１に記載のひげ剃り組立品。
【請求項１５】
前記表側ハンドル構成部は、前方受け溝と後方受け溝とが設けられた内側面を備え、前記前方受け溝は、前記撓み部材の前記側方に延びた支持部を受けることができるようになっており、前記後方受け溝は、前記撓み部材の前記第１端部近傍の一部を固定することができるようになっていることを特徴とする請求項１４に記載のひげ剃り組立品。
【請求項１６】
前記表側ハンドル構成部は、その内側面から外側面に貫通するアーチ型スロットを備えたことを特徴とする請求項１５に記載のひげ剃り組立品。
【請求項１７】
前記撓み部材は、この撓み部材に接続され且つこの撓み部材の第１及び第２端部の間に配置された垂直な指示部材を備え、この指示部材は、ひげ剃り中に前記撓み部材の配置状態を明示するために前記アーチ型スロットを貫通して延び出していることを特徴とする請求項１６に記載のひげ剃り組立品。
【請求項１８】
前記裏側ハンドル構成部は、前方受け溝と後方受け溝とが設けられた内側面を備え、前記前方受け溝は、前記撓み部材の前記側方に延びた支持部を受けることができるようになっており、前記後方受け溝は、前記撓み部材の前記第１端部近傍の一部を固定することができるようになっていることを特徴とする請求項１４に記載のひげ剃り組立品。
【請求項１９】
前記ハンドルは、熱可塑性材料から成ることを特徴とする請求項１に記載のひげ剃り組立品。
【請求項２０】
前記ハンドルは、このハンドルの把持面を与えるための少なくとも一つの環状リブを設けた外側面を備えていることを特徴とする請求項１９に記載のひげ剃り組立品。
【発明の詳細な説明】
【０００１】
【発明の属する技術分野】
本発明は、ひげ剃り具に関し、より詳しくは、ひげ剃り具用の撓み部材であって、この撓み部材が取り付けられたかみそりカートリッジの、ひげ剃り動作中における回転と旋回とねじれとを可能とする撓み部材に関する。
【０００２】
【従来技術】
肌に密着した快適なひげ剃りができるかどうかは、ひげ剃り具の刃とひげ剃りがなされる肌面との接触状態（インターフェイス）がどのようなものであるかにかかっている。例えば、使用者肌表面の起伏及び／又は傷（裂け目）のような要因は、ひげ剃り時にひげ剃り具にかかる力のアンバランスを引き起こし、結果として、ひげ剃りの性能を低下させる。この問題を解決するために、各個人の肌表面の起伏及び／又は傷に適合するように撓む刃を利用したひげ剃り具が開発されてきた。例えば、フェラーロ等に付与された米国特許第５，７８１，９９７号には、可撓性のかみそりカートリッジが開示されている。この可撓性のかみそりカートリッジは、肌表面の起伏に追随するために、ひげ剃り中に凸状及び凹状に撓むことが可能なものである。この‘９９７号特許は、かみそり支持部材をも備えている。このかみそり支持部材は、圧縮性のゴム状材料を持つことにより、かみそり刃がひげ剃り中に角度をもって反ったり、垂直に反ったりすることを許容するものである。
【０００３】
フェラーロ等に付与された米国特許第５，８１３，１１９号は、これとは別の可撓性のかみそりカートリッジを開示している。これによれば、ひげ剃り具は、支持部材と、かみそりカートリッジの各部を接続するためにこの支持部材に対して移動可能に結合された少なくとも一つの回転軸とを持っている。このかみそりカートリッジは、常態では中立位置にあるが、かみそりカートリッジに力がかかったときには、回転運動及び第１ポジションと第２ポジションとの間の前後スライド運動をすることができる。
【０００４】
また、かみそりカートリッジ全体がひげ剃りハンドルに対して相対的に運動可能であるような動きの程度を持ったひげ剃り具を提供するための努力もなされてきた。例えば、ＰＣＴ公報９３／２０９８３及び英国特許GB２，１１６，４７０号は、いずれも、ひげ剃りハンドルに対して旋回運動可能なかみそりカートリッジを持つひげ剃り具を開示している。英国特許ＧＢ２，１７２，２３６号に開示された他の構成では、旋回運動と回転運動が可能となっているが、回転運動は、刃の動きが、ひげ剃りされる面に回転面を残す原因となる。
【０００５】
米国特許５，５３５，５１８号は、その開示内容がその参照によって本発明に組み込まれるもので、ひげ剃り中にかかる力に応じてかみそりカートリッジの旋回運動と回転運動が可能な４本の棒をリンクした構成を開示している。
【０００６】
米国特許５，９５３，８２４号は、その開示内容がその参照によって本発明に組み込まれるもので、ひげ剃り具に装着されるかみそりカートリッジが、ひげ剃り中に受ける力に応じてそのひげ剃り具に対して相対的に動くことができるようにしたひげ剃り具を開示している。実施形態によっては、かみそりカートリッジは、旋回運動とともに、通常はそのひげ剃り具の中心軸であって且つ通常はひげ剃り具へのかみそりカートリッジの接続点によって決まる想像上の軸である軸の回りでの回転運動が可能とされる。このひげ剃り具は、ひげ剃り中及びかみそりカートリッジの着脱作業中にかみそりカートリッジの運動をコントロールするためのスロットを持った接続アームを備えている。この結果、かみそりカートリッジは、ひげ剃り動作の間にかみそりカートリッジとかみそりが異なる角度を持ったとしても、使用者の肌表面との間にひげ剃りのための最適な接触状態を保ち続けることになる。
【０００７】
【課題を解決するための手段】
以下、本発明の利点について、詳細に説明する。
本発明の様々な実施形態は、ひげ剃り中にかみそりカートリッジを支持できるようになっているとともに、ひげ剃り中に直面する力に応じてかみそりカートリッジがかみそりに対して回転（軸Ａ1）、ねじれ（軸Ａ2）、旋回（軸Ａ3）運動できるようにしたひげ剃り具に関する。好ましい一実施形態では、ひげ剃り組立品は、ひげ剃りハンドルと、このハンドルに旋回中心において接続される第１端部を持つ撓み部材とを備えている。ひげ剃りハンドルは上側端部と下側端部を備えてもよく、このひげ剃りハンドルの上側端部に撓み部材の第１端部が接続されるようにしてもよい。撓み部材は、ひげ剃りハンドルの上側端部から突出する第２自由端部を備えることが望ましく、この撓み部材の第１から第２端部を貫いて長手方向軸が延びているようにすることが望ましい。ひげ剃り組立品は、また、主軸を備えるとともに、少なくとも一つのかみそり刃を持つかみそりカートリッジを備え、このかみそりカートリッジは、かみそりカートリッジの主軸に略平行な軸の回りを回転するように、撓み部材の第２自由端部に軸回転可能に接続される。撓み部材の第２自由端部と、この第２自由端部に対して軸回転可能に接続されたかみそりカートリッジは、旋回中心を中心とするアーチ型経路に沿った運動（すなわち、軸Ａ3回りの旋回運動）が可能であるとともに、撓み部材の長手方向軸と略平行な軸の回りの回転運動（すなわち、軸Ａ2回りのねじれ運動）が可能である。この軸Ａ２は、ハンドルの上側端部から下側端部に向けて、ハンドルの長手方向軸に沿って延びるようにしてもよい。撓み部材の第２自由端部は、好ましくは、かみそりカートリッジを受けるための接続部材を備えることにより、かみそりカートリッジがこの接続部材に対して接続されるにするとよい。好ましい実施形態によっては、この第２自由端部の接続部材は、撓み部材の長手方向軸と略平行かつ／又は長手方向軸を横切る方向に延びる略円筒形ロッドを備えてもよい。かみそりカートリッジは、かみそりカートリッジを撓み部材の第２端部に接続する略円筒形ロッドを取り付られるようにした少なくとも一つの支持面を持つ下側部を備えてもよい。実施形態によっては、支持面が略円筒形ロッドの外周面にぴったりはまり込むすることにより、かみそりカートリッジがひげ剃りストローク中に直面する力に応じてロッドの回りで回転できるようにしてもよい。かみそりカートリッジと撓み部材は、かみそりカートリッジの単方向回転運動に適合したものであってもよいし、かみそりカートリッジの双方向回転運動に適合したものであってもよい。
【０００８】
撓み部材は、また、例えば三角形支持板のような、撓み部材の第２自由端部からその第１端部に向かう方向に延びる支持板を備えてもよい。撓み部材は、また、撓み部材の長手方向軸を横切る方向に延びる側方支持部を備えてもよい。ひげ剃りハンドルは、表側構成部又は表側半部と、裏側構成部又は裏側半部とを備え、これにより、表側及び裏側ハンドル構成部が、撓み部材の少なくとも一部分を取り囲むように互いに接続可能としてもよい。他の好ましい実施形態では、撓み部材とハンドルは、プラスチック又は金属から成る。更に他の実施形態では、撓み部材とハンドルはプラスチックから成り、撓み部材はハンドルと一体に形成される。ハンドルは撓み部材の第１端部を取り囲んでいることが望ましく、撓み部材の第２端部はハンドルから突出していることが望ましい。
【０００９】
【発明の実施の形態】
以下、添付図面を参照して本発明の各実施形態を説明する。
図１と図２には、本発明の一実施形態におけるひげ剃り組立品用の撓み部材２０を示す。撓み部材２０は、好ましくはひげ剃りハンドル接続可能である第１又は下側端部２２と、この第１端部２２と離れて設けられ、好ましくはかみそりカートリッジに接続可能である第２又は上側端部２４とを備えている。撓み部材は、望ましくは、第２端部２４に取り付けられる略円筒形ロッド２６のような連結要素を備えている。このロッド２６は、図にＡ1で示す長手方向軸を持っている。略円筒形ロッド２６は、望ましくは、かみそりカートリッジ２８がこの略円筒形ロッド２６に回転可能に接続されるための大きさと形状のものであり、これにより、かみそりカートリッジ２８は長手方向軸Ａ1の周りで回動可能となっている。撓み部材は、長手方向軸Ａ2を備えている。この長手方向軸Ａ2は、撓み部材２０の第１、第２端部２２、２４間に延びている。撓み部材２０は、また、左側フランジ３２と右側フランジ３４とを持つ略十字型の側方支持部３０を備えていることが望ましい。撓み部材２０は、また、左側と右側の支持板３６Ａと３６Ｂを備えている。この支持板３６Ａと３６Ｂは、撓み部材２０の第２端部２４上にあるロッド２６の下側から、撓み部材の第１端部２２に向けて延びている。図１に示す実施形態では、支持板３６Ａ、３６Ｂは、円筒形ロッド２６から視覚的指示部材４２まで延びている。視覚的指示部材４２は、撓み部材２０の表面側から突出して、ひげ剃り操作中に撓み部材２０の位置を明示する。撓み部材２０は、上側フランジ３８と下側フランジ４０を持っている。上側と下側フランジ３８、４０は、撓み面４４に略垂直な方向に広がっている。撓み面４４は、好ましくは、撓み部材２０の一部であり、撓み部材の旋回中心（すなわち、軸Ａ3）と上側と下側フランジ３８と４０との間に延びている。
【００１０】
好ましい実施形態では、総てではないがほとんどの撓み部材２０の旋回運動（すなわち、軸Ａ3周りの動き）と撓み部材２０のねじれ運動（すなわち、軸Ａ2周りの運動）は、撓み部材２０の撓み面４４において生じる。好ましい実施形態では、総てではないがほとんどの撓み部材２０のねじれ運動（すなわち、軸Ａ2周りの運動）は、支持板３６Ａ、３６Ｂにおいて生じる。しかしながら、他の好ましい実施形態では、ねじれ運動は、撓み部材の撓み面４４で生じる（すなわち、軸Ａ2周りの運動）。
【００１１】
図２は、撓み部材２０の表側を示す図であり、略円筒形ロッド２６に回転可能に接続されたかみそりカートリッジ２８をも示している。好ましい実施形態では、かみそりカートリッジ２８は、支持面４８を含む下側部４６を備えている。この支持面４８は、円筒形ロッド２６の外周面がちょうどはまり込むような大きさと形状になっている。支持面４８は、弾力のある熱可塑性材料で形成され、これにより、かみそりカートリッジ２８は、ロッド２６に対して着脱可能に取り付けられる。この結果、複数のかみそりカートリッジを撓み部材２０に対して選択的に接続することができ、且つ／又は、例えば最初のかみそりカートリッジ（例えば、使い古されたかみそりカートリッジ）を代わりのかみそりカートリッジと交換するときに、撓み部材２０から取り外すことができる。いったん、かみそりカートリッジ２８がロッドに対して軸回転可能に固定されたならば、側方固定要素５０は、かみそりカートリッジ２８の円筒形ロッド２６に対する相対的な運動（すなわち、軸Ａ3周りの運動）を防止し且つ／又は制限する。側方固定要素５０は、また、望ましくは、ロッド２６の外周面を案内して、支持面４８に係合させる。かみそりカートリッジ２８は、また、その両端に、端壁５２Ａと５２Ｂとを備えている。これらの端壁５２Ａと５２Ｂは、円筒形ロッド２６との接続に使用されてもよいし、されなくてもよく、側方固定要素５０との結合に使用されてもよいし、されなくてもよい。更に他の実施形態では、略円柱形ロッドであるロッド２６は、かみそりカートリッジはかみそりカートリッジの側壁と結合するように延長することができる。これにより、かみそりカートリッジの端から端への動き又は横方向への動きが防止される。他の好ましい実施形態では、ロッド２６は、かみそりカートリッジの端壁に回転可能に接続することもできる。この形態では、端壁はその中に形成された凹状の支持面を持ってもよく、ロッドがこの支持面にびったりはまり込むようにしてもよい。
【００１２】
図１及び図２に示される撓み部材２０は、ハンドルに接続可能である。この接続は、固定的な接続であってもよいし、取り外し可能な接続であってもよい。例えば、撓み部材が使い捨てのものである場合には、撓み部材を取り外し可能にハンドルに接続してもよい。図３と図４には、図１と図２の撓み部材とかみそりカートリッジが取り付けられるひげ一つの好ましい剃りハンドルを示す。ひげ剃り組立品５４は、好ましくは弾力のあるプラスチック材料または金属から成るハンドル５６にして、上側端部５８とこの上側端部５８から離れた位置にある下側端部６０を備えたハンドル５６を備えている。このハンドル５６は、好ましくは互いに接続される表側ハンドル構成部６２と裏側ハンドル構成部６４の２つのハンドル半部を備えている。裏側ハンドル構成部６４は、ハンドル５６の持ち易さを高めるために、その外周面に形成された環状リブ６６を備えている。他の好ましい実施形態では、ハンドルは型成形されたプラスチック又は金属の一部材からなるようにしてもよい。更に他の実施形態では、ハンドルは撓み部材と一体に形成されるようにしてもよい。
【００１３】
図５には、表側ハンドル構成部６２を含む、図３と図４のひげ剃り組立品５４の部分斜視図を示す。表側ハンドル構成部６２は、内側面６８と、外側面７０と、これら内側面６８と外側面７０の間に広がる端部７２とを備えている。表側ハンドル構成部６２は、内側面６８から外側面７０に貫通するアーチ型のスロット７４を持っている。このスロット７４には、視覚的指示部材４２が貫通する。かみそりカートリッジと撓み部材２０の第２端部が、軸Ａ3を中心とする旋回中心の周りで旋回すると、視覚的指示部材４２はアーチ型スロット７４によって画成されるアーチ型経路に沿って動く。表側ハンドル構成部６２は、好ましくは、左右の側方サポート３２および３４と撓み部材２０の第１端部２２を受けるために、前方サポート７６と後方サポート７８とを備えている。前方サポート７６は、左側方サポート３２と右側方サポート３４とを受けるためのスロット８０を画成する。後方サポート７８は、撓み部材２０の第１端部２２を受けるためのスロット８２を画成する。前方と後方サポート７６と７８は、撓み部材２０をハンドルに接続するための接触の当接面且つ／又は点を提供するとともに、撓み部材２０の撓み面４４を軸Ａ2および軸Ａ3に関してねじれ且つ／又は旋回可能とする。このようにして、いったん、撓み部材２０がハンドルに接続されると、望ましくは、撓み部材２０の総ての旋回及びねじれ運動が、軸Ａ3から上側フランジ３８の下側端部まで広がる撓み面４４と支持板３６Ａ、３６Ｂ内で発生する。
【００１４】
撓み部材２０は、裏側ハンドル構成部８４の内側面８６に対峙する下側フランジ４０と（図６）、表側ハンドル構成部６２の内側面６８に対峙する上側フランジ３８とを備えている。上側フランジ３８と、下側フランジ４０は、それぞれ、表側ハンドル構成部６２の内側面６８と、裏側ハンドル構成部８４の内側面８６とともに作用し、撓み部材２０の第２端部２４のねじれ運動の程度を制限する。
【００１５】
図６には、裏側ハンドル構成部６４を含む図３、図４のひげ剃り組立品５４の部分斜視図を示す。裏側ハンドル構成部６４は、内側面８４を備えている。この裏側ハンドル構成部６４の内側面８４は、前方サポート７６´と後方サポート７８´とを備えている。これら前方サポート７６´と後方サポート７８´は、表側ハンドル構成部の前方及び後方サポート（図５）と実質的に同じ形状と大きさのものである。前方サポート７６´は、撓み部材の側方サポート３０の左及び右側方サポート３２，３４を固定する。後方サポート７８´は、撓み部材の第１又は下側端部２２を固定する。下側フランジ４０は、裏側ハンドル構成部６４の内側支持面８６と結合可能である。下側フランジ４０は、かみそりカートリッジの旋回運動中、内側支持面に沿ってスライドする。
【００１６】
図７と図８には、ひげ剃り操作中における、かみそりカートリッジ２８の撓み部材２０に対する回転運動を示す。図７と図８に示す実施形態は、かみそりカートリッジ２８が撓み部材２０のロッド２６に対して一方向の回転運動をするものである。図７には、付勢部材８８がかみそりカートリッジをロッド２６の回りで時計回転方向Ｒ１に向けて回転するように付勢していることで、標準伸展位置又は第１回転位置にあるかみそりカートリッジ２８を示す。図８に示すように、ひげ剃り操作中は、かみそりカートリッジ２８の頂面９０にかかる外力Ｆが、かみそりカートリッジ２８を、ロッド２６の回りで反時計回転方向に回転させる。かみそりカートリッジ２８が、図７に示す位置から図８に示す位置に回転すると、付勢部材８８は圧縮する。この外力Ｆがかみそりカートリッジ２８の頂面９０から無くなった後は、付勢部材８８は標準状態となり、かみそりカートリッジを図７に示す伸展位置に戻す。このように、いったん外力Ｆが、付勢部材８８から作用する反力よりも大きくなったならば、かみそりカートリッジは、図７に示す標準伸展位置から、図８に示す偏向位置に回転する。反時計回転方向Ｒ２への回転運動は、支持面４８の後端部９２が撓み部材２０の支持板３６Ａおよび３６Ｂ（図７と８には、支持板３６Ｂのみを示す）に当接するまで継続する。この外力Ｆがかみそりカートリッジ２８の頂面９０からなくなると、付勢部材８８はかみそりカートリッジ２８を図７に示す標準伸展位置に戻すように回転させる。
【００１７】
図９と図１０は、本発明の更に他の実施形態における、かみそりカートリッジの撓み部材に対する回転運動を示す。撓み部材１２は、上側フランジ１３８の上側端部に取り付けられたヘリカルスプリング１８８を備えている。かみそりカートリッジ１２８は、略円柱形ロッド１２６に、回転可能に取り付けられている。図９において、ヘリカルスプリング１８８は、かみそりカートリッジ１２８が伸展位置にあるように付勢している。力Ｆがかみそりカートリッジ１２８の頂面１９０に作用すると、かみそりカートリッジは、略円柱形ロッドの回りを反時計回転方向Ｒ２に回転し、これにより、ヘリカルスプリング１８８を圧縮する。力Ｆがかみそりカートリッジ１２８の頂面１９０から除去されると、ヘリカルスプリング１８８は非圧縮状態となり、かみそりカートリッジをロッド１２６の回りで時計回転方向Ｒ１に回転させる。このようにして、いったん力Ｆが除去されると、ヘリカルスプリング１８８は、かみそりカートリッジ１２８を図９に示す伸展位置に押し戻す。
【００１８】
図１１と図１２には、本発明の更に他の実施形態における、ひげ剃り組立品の撓み部材２２０を示す。撓み部材２２０は、この撓み部材２２０に回転可能に取り付けらるかみそりカートリッジ２２８にして、円柱形ロッド２２６の回りで単方向の回転運動をするかみそりカートリッジ２２８を備えている。この撓み部材２２０は、この撓み部材２２０に対して一体に形成された付勢部材２８８にして、かみそりカートリッジ２２８を円柱形ロッド２２６の回りで時計回転方向Ｒ１に回転させて図１１に示す伸展位置に持っていく付勢部材２８８を備えている。力Ｆがかみそりカートリッジ２２８の頂面２９０に作用するとき、かみそりカートリッジはロッド２２６の回りで反時計回転方向Ｒ２に回転させられ、付勢部材２８８を圧縮する。かみそりカートリッジは、反時計回転方向Ｒ２に、支持面２４８が支持板２３６に当接するまで回転する。力Ｆがかみそりカートリッジ２２８の頂面２９０からなくなると、付勢部材２８８は非圧縮状態に伸張し、かみそりカートリッジ２２８をロッドの回りで時計回転方向Ｒ１に回転させ、かみそりカートリッジを図１１に示す伸展位置に戻す。
【００１９】
図１３〜図１５には、ひげ剃り組立品用の撓み部材の更に他の実施形態を示す。これによれば、撓み部材は、２方向に回転する構成を持っている。図１３に示すように、撓み部材３２０は、上側フランジ３３８から延び出してかみそりカートリッジ３２８の下側にある支持面３４８に当接する第１付勢部材３８８Ａを備えている。かみそりカートリッジは、また、下側フランジ３４０に当接する第２付勢部材３８８Ｂを備えている。第１と第２の付勢部材３３８Ａ、３３８Ｂは、常態では、かみそりカートリッジ３２８を図１３に示す中立位置に押し出している。図１４に示すように、力Ｆ１がかみそりカートリッジ３２８の頂面３９０に作用したときには、かみそりカートリッジ３２８はロッド２６の回りを反時計回転方向Ｒ１に回転し、これにより、第１付勢部材３２８Ａを圧縮する。力Ｆ１が無くなると、第１付勢部材３８８Ａは、かみそりカートリッジを時計回転方向Ｒ２に回転させ、図１３に示す中立位置に戻す。図１５に示すように、かみそりカートリッジ３２８の頂面３９０に向いた力Ｆ２が作用すると、かみそりカートリッジはＲ２として示すような時計回転方向に回転して、第２付勢部材３８８Ｂを圧縮する。力Ｆ２がなくなると、第２付勢部材３８８Ｂはかみそりカートリッジ３２８を時計回転方向に回転させ、図１３に示す中立位置に戻す。このように、図１３〜図１５に示す実施形態によれば、２つの方向への回転（すなわち、双方向回転運動）が可能なかみそりカートリッジが得られる。付勢部材３８８Ａ、３８８Ｂは、外力がかみそりカートリッジから除去されたならば、かみそりカートリッジを中立位置に戻す。
【００２０】
本発明のかみそりカートリッジ２８と撓み部材２０（図１）は、かみそりカートリッジ２８に外力が作用したときに、旋回及びねじれ運動をすることも可能である。図２には、撓み部材２０の旋回運動を示す。撓み部材２０の第１端部２２は表側ハンドル構成部６２と裏側ハンドル構成部６４の間の部分に固定される一方、撓み面部４４（すなわち、軸Ａ3により画定される回転軸と上側フランジ３８との間の撓み部材の一部）は、撓み部材２０の軸Ａ3の回りを、矢印で示す方向に撓むことができる。言い換えれば、視覚的指示部材がある撓み部材の部分は、軸Ａ3を中心とするアーチ型経路に沿って、動くことができる。
【００２１】
図１６は、図５及び図６のひげ剃り組立品５４の前端部を示す図であり、かみそりカートリッジ２８に作用したねじり力Ｆt1とＦt2に応じた撓み部材２０のねじれ運動を示す。ねじれ運動は、本質的には、撓み部材２０の長手方向軸Ａ2を中心とする回転運動である。図１１に示した撓み部材２０の長手方向軸Ａ2は、本図の紙面の上下に延びている。撓み部材のねじれ運動は、上側及び下側フランジ３８、４０とカートリッジ取り付け軸Ａ1との間において生じるのが望ましい。
【００２２】
図１７〜図１９には、撓み部材２０のねじれ運動を示す。図１７は、内側面６８を持つ表側ハンドル構成部６２と、内側面８４を持つ裏側ハンドル構成部６４とを備えた図３、図４のひげ剃り組立品５４の部分断面図を示す。図１７では、撓み部材２０には、ねじれ力が作用していない。その結果、上側及び下側フランジ３８及び４０は、それぞれ対応する内側面６８及び８４に対して、圧力を与えていない。図１８には、ねじり力Ｆt2が撓み部材２０を時計回転方向Ｒ１に、撓み部材２０の長手方向軸Ａ2を中心にして回転させた後の撓み部材２０を示す。
【００２３】
図１９には、ねじり力Ｆt1が撓み部材２０を反時計回転方向Ｒ2に、撓み部材２０の長手方向軸Ａ2を中心にして回転させた後の撓み部材２０を示す。撓み部材２０のねじれ運動（すなわち、撓み部材の第１端部２２に対する、撓み部材２０の長手方向軸Ａ2を中心とした、撓み部材２０の第２端部２４の回転）は、ねじり力が作用したときに撓み部材が変形するにつれて、撓み部材２０の断面幾何学上の強度が増大することにより制限される。この強度は、撓み部材２０の幾何学的形状（断面二次極モーメント）及び物性（剪断弾性係数）の結果である。
【００２４】
図２０に示すように、本発明の他の実施形態では、第１間隙が上側フランジ３８´と表側ハンドル構成部６２´の内側面６８´との間にあり、第２間隙が下側フランジ４０´と裏側ハンドル構成部６４´の内側面８４´との間にあるようにしてもよい。ねじり運動は、上側フランジ３８´が表側ハンドル構成部６２´の内側面６８´に当接すること（図２１）、及び／又は下側フランジ４０´が裏側ハンドル構成部６４´の内側面８４´に当接すること（図２２）によっても制限される。この実施形態では、撓み部材２０´のねじれ運動は、撓み部材２０´が変形したときの断面形状に関する強度の増大によっても制限されうる。
【００２５】
図２３と図２４には、ハンドル５５６に対して取り外し可能に取り付けられ得る撓み部材５２０を備えたひげ剃り組立品４５８を示す。撓み部材５２０は、下側端部５２２と、この下側端部５２２から離れて設けられる上側端部５２４と、撓み部材５２０の上側端部５２４に接続される円柱形ロッド５２６とを備えている。ハンドル５５６は、開口部（図示せず）を備えた上側端部５５８と、この上側端部５５８から離れて設けられた下側端部５６０とを備えている。ハンドルは、また、ボタン５９４を備えている。このボタン５９４は、撓み部材とハンドル５５６の結合を解除するために押され得るもので、詳しくは以下に述べるようなものである。撓み部材５６０をハンドル５５６に接続するために、撓み部材の下側端部５２２は、ハンドルの上側端部５５８の開口部に挿入される。ハンドルの内側領域は、シャフトをかみ剃りに固定するためのよく知られた多くの構造のうち、任意のものを備えている。例えば、ハンドルの内側領域は、撓み部材がハンドル５５６の開口部に挿入されたときに、撓み部材５２０の下側端部５２２の外側表面に当接するようにバネで付勢された部材を備えてもよい。
【００２６】
図２４には、ハンドル５５６に取り付けられた撓み部材５２０を示す。撓み部材５２０は、それに軸回転可能に結合されたかみそりカートリッジ５２８を持っている。撓み部材５２０は、撓み部材５２０のハンドル５５６への接続を解除するためにボタン５９４が押されるまで、ハンドル５５６に接続された状態であり続ける。撓み部材５２０がハンドル５５６から取り外された後、撓み部材５２０の代替物がハンドル５５６に取り外し可能に取り付けられるようにしてもよい。実施形態によっては、撓み部材５２０は使い捨てものもとしてもよい。言い換えれば、撓み部材５２０は少なくとも一つのかみそりカートリッジ５２８とともに売られるようにし、かみそりカートリッジ５２８のひげ剃り刃が使い古されたならば、撓み部材とかみそりカートリッジから成る副組立品全体を捨ててしまうにしてもよい。しかしながら、他の実施形態では、撓み部材はかみそりカートリッジと別に売られるようにしてもよい。これらの実施形態では、撓み部材５２０は、しなやかさ及び／又は弾力性を失ってしまったならば、その撓み部材５２０に取り付けられたかみそり刃カートリッジが使い古されたか否かに関わらす、取り替えられることが望ましい。
【００２７】
ここでは本発明を特定の実施形態について説明してきたが、これらの実施形態は本願発明の原理及び応用を例示に過ぎないと理解されるべきである。したがって、特許請求の範囲によって画定される本願発明の意図及び範囲から離れない限り、ここに開示された実施形態に対して様々な変形例がなされ得る。
【図面の簡単な説明】
【図１】本発明の好ましい一実施形態における、かみそりカートリッジが取り付けられた撓み部材の等角投影法による表側の図である。
【図２】同じく撓み部材の表側の図である。
【図３】本発明の特定の好ましい実施形態における、図１と図２に示す撓み部材とかみそりカートリッジを備えたひげ剃り組立品の裏側の図である。
【図４】図３に示すひげ剃り組立品の表側の図である。
【図５】図３と図４に示すひげ剃り組立品の一部断面図である。
【図６】図３と図４に示すひげ剃り組立品の一部断面図である。
【図７】本発明の好ましい実施形態における、かみそりカートリッジが単方向に回転運動する構成の撓み部材を備えたひげ剃り組立品の一部右側面図である。
【図８】図７のひげ剃り組立品において、かみそりカートリッジが偏向位置をとったところを示す図である。
【図９】本発明の好ましい他の実施形態における、かみそりカートリッジが単方向に回転運動する構成の撓み部材を備えたひげ剃り組立品の一部右側面図である。
【図１０】図９のひげ剃り組立品において、かみそりカートリッジが偏向位置をとったところを示す図である。
【図１１】本発明の好ましい実施形態における、かみそりカートリッジが単方向に回転運動する構成の撓み部材を備えたひげ剃り組立品の一部右側面図である。
【図１２】図１１のひげ剃り組立品において、かみそりカートリッジが偏向位置をとったところを示す図である。
【図１３】本発明の好ましい実施形態における、かみそりカートリッジが双方向に回転運動する構成の撓み部材を備えたひげ剃り組立品の一部右側面図である。
【図１４】図１３のひげ剃り組立品において、かみそりカートリッジが第１偏向位置をとったところを示す図である。
【図１５】図１３と図１４のひげ剃り組立品において、かみそりカートリッジが第２偏向位置をとったところを示す図である。
【図１６】図３と図４に示すひげ剃り組立品の先端側から見た図であり、かみそりカートリッジのねじれ運動の範囲を示す。
【図１７】図１のひげ剃り組立品の一部断面図であり、撓み部材がハンドルに対して中立、非偏向位置にある状態を示す。
【図１８】図１７のひげ剃り組立品を示す図であり、撓み部材がハンドルに対して第１のねじれ運動位置にある状態を示す。
【図１９】図１７のひげ剃り組立品を示す図であり、撓み部材がハンドルに対して第１ねじれ運動位置にある状態を示す。
【図２０】本発明の更に他の実施の形態における、撓み部材がハンドルに対して中立、非偏向位置にあるときの、図１のひげ剃り組立品の一部断面図である。
【図２１】図２０のひげ剃り組立品を示す図であり、撓み部材がハンドルに対して第１のねじれ運動位置にある状態を示す。
【図２２】図２０のひげ剃り組立品を示す図であり、撓み部材がハンドルに対して第１ねじれ運動位置にある状態を示す。
【図２３】本発明の更に好ましい実施の形態における、着脱自在に取り付けられる撓み部材を備えたひげ剃り組立品を示す図である。
【図２４】ハンドルに着脱自在に取り付けられた図２３の撓み部材を示す図である。
【符号の説明】
２０  撓み部材
２２  第１端部
２４  第２端部
２６  略円筒形ロッド
２８  かみそりカートリッジ
３６Ａ、３６Ｂ  支持板
４２  視覚的指示部材
４６  下側部
４７  支持面
５４  ひげ剃り組立品
５６  ハンドル
６２  表側ハンドル構成部
６４  裏側ハンドル構成部
７４  アーチ型スロット
【図１】
0005079947.tif 000002
【図２】
0005079947.tif 000003
【図３】
0005079947.tif 000004
【図４】
0005079947.tif 000005
【図５】
0005079947.tif 000006
【図６】
0005079947.tif 000007
【図７】
0005079947.tif 000008
【図８】
0005079947.tif 000009
【図９】
0005079947.tif 000010
【図１０】
0005079947.tif 000011
【図１１】
0005079947.tif 000012
【図１２】
0005079947.tif 000013
【図１３】
0005079947.tif 000014
【図１４】
0005079947.tif 000015
【図１５】
0005079947.tif 000016
【図１６】
0005079947.tif 000017
【図１７】
0005079947.tif 000018
【図１８】
0005079947.tif 000019
【図１９】
0005079947.tif 000020
【図２０】
0005079947.tif 000021
【図２１】
0005079947.tif 000022
【図２２】
0005079947.tif 000023
【図２３】
0005079947.tif 000024
【図２４】
0005079947.tif 000025